(57)【要約】      （修正有）【課題】モバイルアイスリンクのための水または氷の冷却において、パイプ連結部での冷却効率を改善し、より高いレベルのスケート面、及び／または、氷のより均質な温度の維持を容易にし、かつ／または、より省エネと実現できる冷却部材を提供する。【解決手段】本発明は、冷却剤を伝送するための複数のパイプ２を備える、モバイルアイスリンクのための冷却部材１に関し、パイプは、連結部３によって結合された少なくとも２つのセクション２Ａ、２Ｂを備える。冷却素子６は、連結部３の位置に設ける。【選択図】図１
2017156082.tif 000002
【特許請求の範囲】
【請求項１】
冷却剤を伝送するための複数のパイプ（２）を備える、モバイルアイスリンクのための冷却部材（１）であって、前記パイプは、連結部（３）によって結合された少なくとも２つのセクション（２Ａ、２Ｂ）を備え、前記連結部（３）の位置の冷却素子によって特徴付けられることを特徴とする冷却部材（１）。
【請求項２】
冷却素子（６）は、少なくとも２５％の前記連結部（３）に、好ましくは、少なくとも５０％の前記連結部（３）に、好ましくは、全ての前記連結部（３）に設けられることを特徴とする請求項１に記載の冷却部材（１）。
【請求項３】
前記冷却素子（６）は、前記連結部（３）の長さの少なくとも４０％を越えて、好ましくは、前記連結部（３）の全長を越えて延在することを特徴とする請求項１または２に記載の冷却部材（１）。
【請求項４】
前記冷却素子（６）は、前記連結部（３）を覆う水または氷からの熱を伝導及び対流の少なくとも１つを介して前記パイプ（２）内の冷却剤に送達するように構成されていることを特徴とする請求項１〜３のいずれか一項に記載の冷却部材（１）。
【請求項５】
前記冷却素子（６）は、前記連結部の熱吸収と前記パイプのセクションの熱吸収との間の差を少なくとも実質的に平衡させるように構成されていることを特徴とする請求項４に記載の冷却部材（１）。
【請求項６】
前記冷却素子（６）は、前記パイプ（２）の内腔（１５）に連結されたチャネル（２０）を備えることを特徴とする請求項４または５に記載の冷却部材（１）。
【請求項７】
前記チャネル（２０）の第１の端部（２１）は、前記パイプ（２）の内腔に連結され、前記チャネル（２０）は、前記連結部（３）に沿って延在する第１の部分（２２）、Ｕターン部（２３）、及び、前記連結部（３）に沿って延在する第２の部分（２４）を備え、前記チャネル（２０）の第２の端部（２５）は、前記第１の端部（２１）の下流の前記パイプ（２）の内腔（１５）に連結されることを特徴とする請求項６に記載の冷却部材（１）。
【請求項８】
前記チャネル（２０）の前記第１の端部（２１）と前記チャネル（２０）の前記第２の端部（２５）との間に配置された、前記パイプ（２）の内腔（１５）内の流量制限を備えることを特徴とする請求項７に記載の冷却部材（１）。
【請求項９】
前記冷却素子（６）は、前記連結部（６）に沿って、周辺に、上方に、かつ／または、下方に延在し、かつ／または、冷却素子（６）は、前記パイプのセクション（２Ａ、２Ｂ）の一部、または、前記前記パイプのセクション（２Ａ、２Ｂ）の延長部（７）であることを特徴とする請求項１〜８のいずれか一項に記載の冷却部材（１）。
【請求項１０】
一対の前記冷却素子（６）は、一つ置きにパイプ（２）の上に設けられることを特徴とする請求項１〜９のいずれか一項に記載の冷却部材（１）。
【請求項１１】
前記パイプ（２）は、金属、特に、アルミニウムで作られ、前記連結部（３）は、合成材料で作られることを特徴とする請求項１〜１０のいずれか一項に記載の冷却部材（１）。
【請求項１２】
前記連結部は、結合部、特にゴム製の可撓性チューブ（３）を備え、前記結合部は、前記セクション（２Ａ，２Ｂ）が、前記連結部で、かつ、互いに対しておらことを可能にすることを特徴とする請求項１〜１１のいずれか一項に記載の冷却部材（１）。
【請求項１３】
供給マニフォールド及び排出マニフォールドを備え、複数の平行なパイプ（２）がこれらのマニフォールドに連結されることを特徴とする請求項１〜１２のいずれか一項に記載の冷却部材（１）。
【請求項１４】
連結部で、特に、ゴム製の可撓性チューブ（３）で連結された少なくとも２つのセクション（２Ａ、２Ｂ）を備え、前記連結部の位置で冷却素子（６）によって特徴付けられる請求項１〜１３のいずれか一項の冷却部材（１）に使用されるパイプ（２）。
【請求項１５】
１つまたは複数の請求項１〜１４のいずれか一項に記載の冷却部材（１）またはパイプ（２）を備えるアイスリンク。
【発明の詳細な説明】
【技術分野】
【０００１】
本願は、冷却剤、特に、グリコール等の冷却液を送達するための複数のパイプ、特に、少なくとも略平行なパイプを備える、モバイルアイスリンクのための冷却部材であって、複数のパイプが、接続器によって結合された少なくとも２つのセクションを備える、冷却部材に関する。
【背景技術】
【０００２】
特許文献１は、モバイル熱交換器であって、第１の媒体の送達のための少なくとも２つの概して剛性パイプの少なくとも１つの組立体と、２つのパイプを相互接続する結合素子と、第１の媒体の供給及び放出のための組立体に接続された供給手段及び放出手段であって、それぞれ、第１の媒体が組立体を包囲する第２の媒体の過熱または冷却に適合している、供給手段及び放出手段と、を備えるモバイル熱交換器に関する。結合素子は旋回可能であり、パイプは、組立体が比較的拡張された構成を有する、積極的に作動する位置と、組立体が比較的コンパクトな構成を有する、非作動送達位置との間で互いに対してヒンジ式に接続されている。ある実施形態では、結合素子は、筒状であり、ゴム、特に、ＥＰＤＭ（エチレン・プロピレン・ジエン・モノマー）で作られる。
【０００３】
特許文献２は、アルミニウムパイプ（特許文献２の図にいて符号１が付せられる）と、冷媒を排出する上で折り曲げ位置における送達を可能にする可撓性シリコン結合連結部（２）と、を備える冷却部材に関する。
【０００４】
特許文献３は、「水力施設、好ましくは、モバイルスケートリンクの凍結施設」に関する。
【０００５】
より高い温度、直日、雨、及び、風が、連結部付近のリンクの氷における脆弱スポット及び／または凹凸を引き起こし得る。このようなスポット及び／または凹凸が氷に形成されるのを減らすまたは防止する一般的な方法は、冷却剤の流速を上げる、または、冷却剤の温度を低くすることを含む。これらの方法は、エネルギー効率を大きく下げる。
【先行技術文献】
【特許文献】
【０００６】
【特許文献１】ＥＰ１４６２７５５
【特許文献２】ＧＲ００７２４９
【特許文献３】ＰＬ２１３４５４
【発明の概要】
【発明が解決しようとする課題】
【０００７】
本願発明の課題は、モバイルアイスリンクのための改善された冷却部材を提供することである。
【０００８】
この課題に向けて、本願発明における冷却部材は、連結部の位置における、好ましくは、連結部に沿って、かつ、または、連結部の下方に延在する冷却要素によって特徴付けられる。
【０００９】
ある実施形態では、少なくとも冷却部材が作動可能な際、冷却素子は、少なくとも２５％の連結部に、好ましくは、少なくとも５０％の連結部に、好ましくは、全ての連結部に設けられ、冷却素子は、連結部の長さの少なくとも４０％を越えて、好ましくは、連結部の全長を越えて延在する。
【００１０】
水または氷の冷却は、連結部で非常に非効率的であることが分かっている。本願発明における冷却部材は、より高いレベルのスケート面、及び／または、氷のより均質な温度の維持を容易にし、かつ／または、より省エネである。
【００１１】
ある実施形態では、冷却素子は、連結部を覆う水または氷からの熱を伝導及び対流の少なくとも１つを介してパイプ内の冷却剤に送達するように構成されており、好ましくは、これにより、冷却素子によって吸収された熱は、連結部の熱吸収（／ｃｍ）と前記パイプセクションの熱吸収（／ｃｍ）との間の差を少なくとも実質的に、好ましくは少なくとも７０％、好ましくは、少なくとも８０％、好ましくは少なくとも９０％平衡させる。改良において、冷却素子は、例えば、パイプセクションに一体化した部品で、または、パイプセクションに連結されて、パイプに熱的に連結される。
【００１２】
冷却素子は、例えば、硬いアルミニウム棒を呈する硬い材料で作られ得る。連結部の周囲の水または氷からの熱の送達を高めるために、ある実施形態では、少なくとも複数、好ましくは全ての冷却素子が各パイプの内腔に連結されたチャネルを備える。従って、パイプからの冷却剤が冷却素子へと供給される。
【００１３】
改良において、チャネルの第１（入口）の端部はパイプの内腔に連結され、チャネルは、連結部に沿って延在する第１の部分、Ｕターン部、及び、連結部に沿って延在する第２の部分を備え、チャネルの第２（出口）の端部は、第１の端部の下流のパイプの内腔に連結される
【００１４】
冷却素子を介する冷却剤の流量を設定または制限するために、ある実施形態では、パイプの内腔内に流量制限が備えられ、チャネルの第１の端部とチャネルの第２（リターンまたは出口）の端部との間に配置される。改良において、流量制限は、１％〜２５％、好ましくは１〜１５％、好ましくは２％〜５％の冷却剤を、チャネルを介して流れるようにし、流量制限から下流の冷却剤の主流に戻す。
【００１５】
冷却素子は、例えば、パイプセクションの（一体的な）一部、または、パイプセクション連結された延長部である得る。ある実施形態では、冷却素子は、２つ以上の構成部品、例えば、２液のメタクリル樹脂接着剤、好ましくはＰｌｅｘｕｓ（登録商標）  ＭＡ８３０等の２液のメタクリル樹脂接着剤によって互いに接着された２つの半分体を備える。
構成部品を結合するその他の適切な手段は、溶接固定及びボルト固定を含む。組み合せ、例えば、接着とボルトとの組み合せが、例えば、過酷な状況に耐えるように、または、耐用年数を長くするために採用され得る。改良において、ガスケットが少なくとも２つの構成部品の間に配置される。
【００１６】
ある実施形態では、一対の冷却素子は、一つ置きのパイプ上に設けられる。従って、冷却素子は、残りのパイプにはなくてもよく、冷却部材の組み立てを簡易化する。
【００１７】
さらなる実施形態では、パイプは金属、特にアルミニウムで作られ、連結部は、例えば、ゴム、ＥＰＤＭ（エチレン・プロピレン・ジエン・モノマー）等の熱可塑性物質またはエラストマー等の合成材料で作られる。別の実施形態では、連結部は、セクションが連結部で、または互いに対して折り曲げられることを可能にする結合部、特に、ゴム製の可撓性チューブを備える。
【００１８】
別の実施形態では、パイプセクションは、０．５ｍ〜１１ｍの、好ましくは、４ｍ〜８ｍの範囲の長さを有する。
【００１９】
例えば、広場または公園内等の場所への設置を容易にするために、ある実施形態では、冷却部材は、供給マニフォールド及び排出マニフォールドを備える。平行なパイプは、これらのマニフォールドに連結される。アイスリンクを形成するために、マニフォールドは、冷却装置に直列に、または、並列に結合される。
【００２０】
本発明は、上述の冷却部材に使用されるパイプにも関し、パイプは、連結部、特に、セクションが連結部で、かつ、互いに対して折り曲げられることを可能にする、ゴム製の可撓性チューブによって結合された少なくとも２つのセクションを備え、かつ、連結部の場所にある冷却素子、好ましくは、連結部に沿って、周辺に、上方に、かつ／または、下方に延在する冷却素子によって特徴付けられる。
【００２１】
本発明は、本願発明による１つまたは複数の冷却部材またはパイプを備えるアイスリンクに関する。
【００２２】
ここで、本発明が、本願発明の冷却部材の実施形態を示す図を参照に、より詳細に説明されるだろう。
【図面の簡単な説明】
【００２３】
【図１】可撓性結合部、及び、結合部に沿って延在する冷却要素を備える、本願発明における冷却部材の斜視図である。
【図２】図１に示される一対の冷却要素の展開図である。
【図３】図２に示される展開図の拡大詳細図である。
【発明を実施するための形態】
【００２４】
図１は、モバイルアイスリンクで使用するための冷却部材１の好ましい例を示す。冷却部材は、グリコール等の冷却剤を伝送するための、例えば、アルミから押し出された、複数の少なくとも略平行な剛性パイプ２を備える。各パイプは、接合部３によって結合された少なくとも２つのセクション２Ａ、２Ｂを備える。この例では、結合部は、例えば、ＥＰＤＭ（エチレン・プロピレン・ジエン・モノマー）等のゴムで作られた可撓性チューブを備え、この可撓性チューブの両端は、パイプのセクションの両端に被せられ、かつ、そこにホースクランプ４で固定され、強固で液密性の連結部を形成する。
【００２５】
冷却部材１の一端上で、パイプ２の両端は、供給及び排出マニフォールド（図示せず）に交互に連結される。冷却部材の他端上では、パイプの両端には、対で、Ｕベンド、または、コレクターが設けられ、これにより、対のパイプそれぞれが、（供給マニフォールドに連結された）供給パイプと、（排出マニフォールドに連結された）リターンパイプと、を有する。アイスリンクを形成するために、多数の冷却部材が並べられ、冷却部材のマニフォールドが、直列または平行に、冷却装置（図示せず）に結合される。可撓性結合部は、冷却部材のセクションが、作動のための冷却部材の折れ曲がっていない状態と、輸送のための折れ曲がった状態と、の間を互いに対して折り曲げられることを可能にする。適切なマニフォールド、連結部、及び、さらなる技術的態様が、引用文献１に開示されている。
【００２６】
冷却部材１の作動（折り曲げられていない）状態では、冷却要素６は、各結合部３の全長に沿って延在する。この例では、冷却要素６は、可変パイプセクション２Ａ上の末端部７において対で形成される。図２に示されるように、各末端部は、例えば、アルミで成型され、かつ、例えば、突出部８及び凹部９（図２）、ボルト１０（図３）、及び、ネジ等の位置決め及び固定要素が設けられた。２つの半分体７Ａ、７Ｂをそれぞれ備える。半分体は、例えば、２値メタクリル酸塩接着剤（ｔｗｏ−ｐａｒｔ  ｍｅｔｈａｃｒｙｌａｔｅ  ａｄｈｅｓｉｖｅ）、及び／または、ボルトによって結合されると、中央チャネル１５、２つの筒状連結部セクション１６、１７、及び、２つの冷却要素６を画定する。第１の筒状連結部セクション１６は、パイプセクション２Ａの外径より僅かに大きい内径を有し、これにより、末端部７は、パイプセクション２Ａの端部上に配置され、例えば、接着剤、及び／または、クランプによってその場所に固定され得る。第２の筒状連結部セクション１７は、筒状結合部３の内径より僅かに小さい外径を有し、これにより、結合部は、接合部セクション１７上に配置され、例えば、既に上述しように、ホースクランプ４等によってその場所に固定され得る。
【００２７】
図２及び図３に示されるように、冷却要素それぞれは、冷却のための内部チャネル２０を備える。チャネルは、入口２１から下流に、流れ方向（矢印）で見て、入口２１、要素に亘って、かつ、結合部に沿って延在する第１の部分２２、Ｕ（１８０°）ターン部２３（図２）、要素に亘って、かつ、結合部に沿って延在する第２の部分２４、及び、中央チャネル１５に連結されたリターン部２５を備える。流量制限２６は、チャネルの入口とリターン部との間の中央チャネル１５を画定する。この特定の例では、流量制限、入口、及び、リターン部の直径、形状、及び、表面は、冷却剤の流量の３％を冷却要素内の各チャネルに向かうように、かつ、９４％を直進するように、さらに、これにより、冷却要素内の中央チャネル及び他のチャネルに亘った冷却剤の流量の分配が流れ方向に影響されないように構成される。
【００２８】
作動中に、図２を参照に説明したように、冷却剤はパイプを通って末端部内に流れる。冷却剤の３％は、各冷却要素、すなわち、入口、第１の部分、結合部に沿って延在する第１の部分、Ｕターン部、及び、結合部に沿って延在する第２の部分に向けれ、従って、結合部周囲の水または氷を冷却し、リターン部を介してパイプに戻る。
【００２９】
本願発明における冷却部材は、例えば、面連続性及び氷の温度といった面においてより均一なスケーティング面を維持することを容易にし、かつ／または、よりエネルギー効率的である。
【００３０】
本発明は、上述の実施形態に限定されず、特許請求の範囲内において多様に変形し得る。例えば、冷却要素を対で配置する代わりに、単一の冷却要素を有する末端部が、各パイプセクションに設けられ得る。また、可撓性結合部の代わりに、パイプセクションは、例えば、パイプを所定箇所で組み立て、かつ、分解することを可能にする剛性の連結部によって結合され得る。
【符号の説明】
【００３１】
１  冷却部材
２  パイプ
３  連結部
６  冷却素子
７  末端部、延長部
８  突出部
９  凹部
１０  ボルト
１５  内腔、中央チャネル
１６  第１の筒状連結部セクション
１７  第２の筒状連結部セクション
２０  内部チャネル
２１  第１の端部、入口
２２  第１の部分
２３  Ｕターン部
２４  第２の部分
２５  第２の端部
２６  流量制限
【図１】
2017156082.tif 000003
【図２】
2017156082.tif 000004
【図３】
2017156082.tif 000005
【外国語明細書】
2017156082000001.pdf